(57)【要約】【課題】油圧駆動式のエレベータを巻上機駆動式のエレベータにリニューアルする際等に、昇降路内の据付部材上に巻上機を据え付ける方法においてさらなる改善の余地がある。【解決手段】実施形態の巻上機据付方法は、載置工程と、揚重工程と、据付工程と、転用工程とを含む。載置工程では、油圧駆動式のエレベータを巻上機駆動式のエレベータにリニューアルする際に、昇降路内に設けた揚重用構造体上に新設の巻上機を載置する。揚重工程では、前記揚重用構造体上に載置した前記新設の巻上機を当該揚重用構造体と共に昇降路頂部に設けられた据付部材の高さまで揚重する。据付工程では、前記据付部材の高さまで揚重した前記新設の巻上機を当該据付部材上に移動させて据え付ける。転用工程では、前記巻上機を前記据付部材上に移動させた後の前記揚重用構造体を、乗りかごの新設上梁として転用する。【選択図】図２
2013245033.tif 000002
【特許請求の範囲】
【請求項１】
油圧駆動式のエレベータを巻上機駆動式のエレベータにリニューアルする際に、昇降路内に設けた揚重用構造体上に新設の巻上機を載置する載置工程と、
前記載置工程で前記揚重用構造体上に載置した前記新設の巻上機を当該揚重用構造体と共に昇降路頂部に設けられた据付部材の高さまで揚重する揚重工程と、
前記揚重工程で前記据付部材の高さまで揚重した前記新設の巻上機を当該据付部材上に移動させて据え付ける据付工程と、
前記据付工程で前記巻上機を前記据付部材上に移動させた後の前記揚重用構造体を、乗りかごの新設上梁として転用する転用工程とを含むことを特徴とする、
巻上機据付方法。
【請求項２】
前記揚重工程の前に、前記昇降路内に鉛直方向に沿って設置された既設の案内部材と当接し、前記揚重用構造体を前記案内部材に沿って鉛直方向に案内可能である被案内部材を、当該揚重用構造体に取り付ける被案内部材取付工程を含み、
前記被案内部材は、リニューアル後も利用される、
請求項１に記載の巻上機据付方法。
【請求項３】
前記載置工程の前に、前記揚重用構造体上に前記新設の巻上機を載置可能である載置台を取り付ける載置台取付工程と、
前記据付工程の後に、前記揚重用構造体から前記載置台を取り外す載置台取外工程とを含む、
請求項１又は請求項２に記載の巻上機据付方法。
【請求項４】
リニューアル前の前記油圧駆動式のエレベータの乗りかごによって前記据付部材を前記昇降路頂部まで揚重し取り付ける据付部材取付工程を含む、
請求項１乃至請求項３のいずれか１項に記載の巻上機据付方法。
【発明の詳細な説明】
【技術分野】
【０００１】
本発明の実施形態は、巻上機据付方法に関する。
【背景技術】
【０００２】
従来、エレベータは、昇降路内を乗りかごが移動することにより、乗りかごを任意の階床に移動させる。
【先行技術文献】
【特許文献】
【０００３】
【特許文献１】特開２００７−２１０７０３号公報
【発明の概要】
【発明が解決しようとする課題】
【０００４】
ところで、従来技術においては、例えば、油圧駆動式のエレベータを巻上機駆動式のエレベータにリニューアルする際等に、昇降路内の据付部材上に巻上機を据え付ける方法においてさらなる改善の余地がある。
【課題を解決するための手段】
【０００５】
実施形態の巻上機据付方法は、載置工程と、揚重工程と、据付工程と、転用工程とを含む。載置工程では、油圧駆動式のエレベータを巻上機駆動式のエレベータにリニューアルする際に、昇降路内に設けた揚重用構造体上に新設の巻上機を載置する。揚重工程では、前記載置工程で前記揚重用構造体上に載置した前記新設の巻上機を当該揚重用構造体と共に昇降路頂部に設けられた据付部材の高さまで揚重する。据付工程では、前記揚重工程で前記据付部材の高さまで揚重した前記新設の巻上機を当該据付部材上に移動させて据え付ける。転用工程では、前記据付工程で前記巻上機を前記据付部材上に移動させた後の前記揚重用構造体を、乗りかごの新設上梁として転用する。
【図面の簡単な説明】
【０００６】
【図１】図１は、実施形態に係るエレベータの概略構成例を示す模式的構成図である。
【図２】図２は、実施形態に係る巻上機据付方法を説明するフローチャートである。
【図３】図３は、実施形態に係る巻上機据付方法を説明する模式図である。
【図４】図４は、実施形態に係る載置台を含む平面図である。
【図５】図５は、実施形態に係る載置台を含む側面図である。
【図６】図６は、実施形態に係る巻上機据付方法における揚重用構造体の転用を説明する模式図である。
【発明を実施するための形態】
【０００７】
［実施形態］
図１は、実施形態に係るエレベータの概略構成例を示す模式的構成図、図２は、実施形態に係る巻上機据付方法を説明するフローチャート、図３は、実施形態に係る巻上機据付方法を説明する模式図、図４は、実施形態に係る載置台を含む平面図、図５は、実施形態に係る載置台を含む側面図、図６は、実施形態に係る巻上機据付方法における揚重用構造体の転用を説明する模式図である。
【０００８】
本実施形態の巻上機据付方法を適用するエレベータ１は、昇降路２を昇降可能な乗りかご３とつり合おもりとしてのカウンタウェイト４とをメインロープ５で接続したものである。エレベータ１は、昇降路２と、乗りかご３と、カウンタウェイト４と、メインロープ５と、巻上機６と、案内部材としてのガイドレール７及びガイドレール８とを備える。エレベータ１は、制御盤によって各部の駆動が制御されて乗りかご３が昇降路２内を昇降することで、任意の目的階の乗り場に移動することができるものである。なお、以下で説明する乗りかご３、カウンタウェイト４の昇降方向とは、典型的には鉛直方向である。
【０００９】
昇降路２は、建物の鉛直方向に沿って設けられる。乗りかご３は、利用者が乗ったり荷物を乗せたりするための構造物である。乗りかご３は、メインロープ５が接続され昇降路２内に配置され、この昇降路２を昇降可能である。乗りかご３は、鉛直方向上部に配置される上梁９にシーブ１０を有し、このシーブ１０にメインロープ５が掛けられて支持される。カウンタウェイト４は、乗りかご３に対するつり合いおもりである。メインロープ５は、昇降路２の上部に設けられた巻上機６のメインシーブやそらせシーブに掛けられて、両端が昇降路２の上部に固定される。メインロープ５は、巻上機６を挟んで一端側に乗りかご３が、他端側にカウンタウェイト４が掛けられている。巻上機６は、制御盤によりその駆動が制御され、例えば、乗りかご３を移動させる動力を発生させる電動機（モータ）等が駆動することで、この電動機に連結されたメインシーブが回転駆動し、メインシーブとメインロープ５との間に生じる摩擦力を利用してメインロープ５を電動で巻き上げる。本実施形態のエレベータ１は、いわゆるマシンルームレスエレベータであり、昇降路２の上部に機械室を備えておらず、昇降路２内の頂部に巻上機６が設けられている。
【００１０】
ガイドレール７、ガイドレール８は、昇降路２内に乗りかご３、カウンタウェイト４の昇降方向（鉛直方向）に沿って延在して設けられる略Ｔ字型の断面のレール状の部材である。ガイドレール７は、乗りかご３の昇降移動を昇降方向（鉛直方向）に沿って案内し、ガイドレール８は、カウンタウェイト４の昇降移動を昇降方向（鉛直方向）に沿って案内する。ガイドレール７は、昇降路２内に乗りかご３の幅方向両側に一対で設けられる。一対のガイドレール７は、幅方向に対して乗りかご３を挟んで対向して平行に設けられる。ガイドレール８は、昇降路２内にカウンタウェイト４の幅方向両側（図中奥行き方向）に一対で設けられる。一対のガイドレール８は、幅方向に対しカウンタウェイト４を挟んで対向して平行に設けられる。
【００１１】
上記のように構成されるエレベータ１は、利用者により操作盤等を介して呼び操作が行われた場合に、この呼び登録や乗りかご３の現在の移動方向（昇降方向）に基づいて、巻上機６が駆動する。これにより、エレベータ１は、巻上機６がメインロープ５を巻き上げることで、乗りかご３が昇降路２内を鉛直方向上下に昇降移動し、任意の目的階の乗り場に移動する。このとき、エレベータ１は、ガイドレール７、ガイドレール８が乗りかご３、カウンタウェイト４の昇降移動を昇降方向に沿って案内する。これにより、エレベータ１は、昇降路２内での乗りかご３、カウンタウェイト４の昇降を適正に案内することができ、例えば、昇降路２内でのメインロープ５のバタツキ等を抑制することができる。
【００１２】
ところで、油圧ポンプ等を用いたいわゆる油圧駆動式のエレベータを上記で説明したようなマシンルームレスの巻上機駆動式のエレベータ１にリニューアルする際、油圧駆動式のエレベータは、巻上機６を備えていないため、新設の巻上機６を昇降路２内の頂部まで揚重し、所定の位置に据え付けなければならない。また、油圧駆動式のエレベータは、シャフト等を介して油圧により乗りかご３を押し上げるという構造上、乗りかご３に上梁９が設けられていないため、当該上梁９も新たに新設する必要がある。
【００１３】
そこで、本実施形態の巻上機据付方法では、上梁９を備えていない油圧駆動式のエレベータの乗りかご３を転用し巻上機駆動式のエレベータ１にリニューアルする際に、揚重用構造体１１（図３参照）を用いて新設の巻上機６を昇降路２内の頂部まで揚重した後、この揚重用構造体１１を乗りかご３の新設の上梁９に転用する。これにより、この巻上機据付方法は、油圧駆動式のエレベータを巻上機駆動式のエレベータ１に効率的にリニューアルすることを可能とする。
【００１４】
以下、図２のフローチャートを参照して本実施形態に係る巻上機据付方法の一例を説明する。本実施形態に係る巻上機据付方法は、一例として、据付部材取付工程（ＳＴ１）、構造体設置工程（ＳＴ２）、被案内部材取付工程（ＳＴ３）、載置台取付工程（ＳＴ４）、載置工程（ＳＴ５）、揚重工程（ＳＴ６）、据付工程（ＳＴ７）、載置台取外工程（ＳＴ８）、転用工程（ＳＴ９）の順で行われるが、適宜順番も変更可能である。なお、以下の説明では、適宜図３、図４、図５、図６も参照する。
【００１５】
まず、作業員は、据付部材取付工程として、リニューアル前の油圧駆動式のエレベータの乗りかご３によって、図３に示すように、据付部材１２を昇降路２頂部まで揚重し取り付ける（ＳＴ１）。
【００１６】
据付部材１２は、新設の巻上機６を載置するためのマシンベッド（ヤグラ）等である。リニューアル前のエレベータの乗りかご３は、未だ通常通り昇降路２を昇降可能な状態である。例えば、作業員は、昇降路２を昇降可能な状態のリニューアル前の乗りかご３のかご上にて、据付部材１２等を載置し当該リニューアル前の乗りかご３を上昇させる。これにより、作業員は、据付部材１２を昇降路２頂部の所定の設置高さまで揚重する。そして、作業員は、据付部材１２を昇降路２頂部の所定の設置位置に設置する。
【００１７】
なおこのとき、作業員は、リニューアル前の油圧駆動式のエレベータの乗りかご３によって、可能な範囲（許容重量、許容サイズ内）でリニューアル後のエレベータ１に必要なその他の機器も合わせて揚重し、適宜設置するようにしてもよい。
【００１８】
次に、作業員は、構造体設置工程として、図３に示すように、昇降路２内に揚重用構造体１１を設置する（ＳＴ２）。揚重用構造体１１は、所定以上の強度、典型的には、新設の巻上機６の重量を受けることができる強度を有した梁状の構造部材によって構成される。揚重用構造体１１は、昇降路２内において、チェーンブロックやウインチ等の種々の揚重機１３に連結された状態で、昇降路２内に設けられる。つまり、揚重用構造体１１は、昇降路２内において揚重機１３に吊り下げられる。
【００１９】
ここでは、揚重機１３は、チェーンブロックを用いるものとして図示している。揚重機１３は、チェーンブロック本体１３ａが昇降路２の天井に設けられた吊り元１３ｂにフック等を介して吊り下げられており、このチェーンブロック本体１３ａによって巻き取り可能なロードチェーン１３ｃに揚重用構造体１１が連結される。ロードチェーン１３ｃは、揚重用構造体１１の両端に設けられた連結部１１ａにそれぞれ連結される。揚重機１３は、作業員の操作に応じてチェーンブロック本体１３ａが作動しロードチェーン１３ｃを巻き取ることで、揚重用構造体１１を昇降路２内で鉛直方向に沿って昇降させることができる。
【００２０】
次に、作業員は、被案内部材取付工程として、少なくとも揚重工程（ＳＴ６）の前に、図３に示すように、被案内部材としてのガイドシュー１４を揚重用構造体１１に取り付ける（ＳＴ３）。ガイドシュー１４は、昇降路２内に鉛直方向に沿って設置された既設のガイドレール（案内部材）７と当接するものである。ガイドシュー１４は、揚重用構造体１１の両端に設けられた各ブラケット１１ｂにそれぞれ設けられる。ガイドシュー１４は、ガイドレール７の歯部（突出部）に対して両側から当接することで、揚重用構造体１１を水平方向に対して位置決めしつつガイドレール７に沿って鉛直方向に案内可能な構成となっている。
【００２１】
次に、作業員は、載置台取付工程として、少なくとも載置工程（ＳＴ５）の前に、図４に示すように、揚重用構造体１１上に載置台１５を取り付ける（ＳＴ４）。載置台１５は、所定以上の強度を有した板状の構造部材によって構成される。載置台１５は、新設の巻上機６を載置可能な大きさに形成される。載置台１５は、図５に示すように、ボルト１５ａ等を介して揚重用構造体１１上のほぼ中央に着脱可能に締結される。
【００２２】
次に、作業員は、載置工程として、図３に示すように、昇降路２内に設けた揚重用構造体１１上に新設の巻上機６を載置する（ＳＴ５）。作業員は、載置台１５上に新設の巻上機６を載置し、当該新設の巻上機６が揚重中に動かないように載置台１５に仮固定する。
【００２３】
次に、作業員は、揚重工程として、載置工程（ＳＴ５）で揚重用構造体１１上に載置した新設の巻上機６を当該揚重用構造体１１と共に昇降路２頂部に設けられた据付部材１２の高さまで揚重する（ＳＴ６）。ここでは、作業員は、例えば、揚重用構造体１１上にて揚重機１３のコントローラを操作し、揚重機１３によって昇降路２内で揚重用構造体１１を引き上げて新設の巻上機６を据付部材１２の高さまで揚重する。
【００２４】
このとき、揚重用構造体１１及び新設の巻上機６は、ガイドシュー１４がガイドレール７に当接した状態で上昇することとなる。ガイドシュー１４は、ガイドレール７に沿った揚重用構造体１１及び新設の巻上機６の移動を案内する。これにより、揚重用構造体１１及び新設の巻上機６は、水平方向に対して位置決めされつつガイドレール７に沿って鉛直方向に案内される。この結果、作業員は、揚重用構造体１１及び新設の巻上機６を揚重する際に水平方向の動きを抑制し、安定した姿勢で揚重することができるので、揚重用構造体１１及び新設の巻上機６を安全に据付部材１２の高さまで揚重することができる。
【００２５】
次に、作業員は、据付工程として、揚重工程（ＳＴ６）で据付部材１２の高さまで揚重した新設の巻上機６を当該据付部材１２上に移動させて据え付ける（ＳＴ７）。作業員は、例えば、種々の工具を使用して揚重用構造体１１上の新設の巻上機６を据付部材１２上に水平に移動させる。そして、作業員は、新設の巻上機６を据付部材１２上にボルト等によって締結し据え付ける。
【００２６】
次に、作業員は、載置台取外工程として、据付工程（ＳＴ７）の後に、揚重用構造体１１から載置台１５を取り外す（ＳＴ８）。作業員は、ボルト１５ａ等を外し、新設の巻上機６を据付部材１２上に移し終えた後の揚重用構造体１１上の載置台１５を、当該揚重用構造体１１から取り外す。これにより、リニューアル完了後のエレベータ１は、乗りかご３のかご上に点検作業員等の作業エリアを適切に確保することができる。
【００２７】
そして、作業員は、転用工程として、据付工程（ＳＴ７）で新設の巻上機６を据付部材１２上に移動させた後の揚重用構造体１１を、リニューアル後の乗りかご３の新設の上梁９として転用し（ＳＴ９）、本実施形態の巻上機据付方法を終了する。作業員は、例えば、図６に示すように、揚重用構造体１１と乗りかご３の既設の立枠１６とをボルト１１ｃ等によって締結することで構造的に一体化する。これにより、揚重用構造体１１は、リニューアル後の乗りかご３の新設の上梁９として転用される。
【００２８】
またこのとき、作業員は、上梁９として転用される揚重用構造体１１に設けられているガイドシュー１４もそのまま流用し、リニューアル後も乗りかご３を案内する被案内部材として利用する。
【００２９】
作業員は、上記のようにして新設の巻上機６を昇降路２内の所定の位置に揚重、据え付けたら、カウンタウェイト４、メインロープ５、各種シーブ１０等、巻上機駆動式のエレベータ１で必要な種々の設備を組み付けていき、揚重用構造体１１から揚重機１３を取り外す。
【００３０】
作業員は、上記で説明した巻上機据付方法を用いて新設の巻上機６を揚重、据え付けることで、揚重用構造体１１を用いて巻上機６を適切に揚重、据え付けることができるとともに、据え付け完了後に揚重用構造体１１を上梁９として転用することができる。さらに言えば、作業員は、揚重機１３以外に専用の揚重装置を用いずに、将来的に新設の上梁９として転用される揚重用構造体１１を用いて、適切に効率的に新設の巻上機６を昇降路２内の頂部の所定の位置に揚重し据え付けることができる。
【００３１】
以上で説明した実施形態に係る巻上機据付方法によれば、揚重用構造体１１を用いて新設の巻上機６を昇降路２内の頂部まで揚重した後、この揚重用構造体１１を乗りかご３の新設の上梁９に転用することから、油圧駆動式のエレベータを巻上機駆動式のエレベータ１に効率的にリニューアルすることができる。これにより、この巻上機据付方法によれば、例えば、リニューアルのコストを抑制することができる。
【００３２】
なお、上述した実施形態に係る巻上機据付方法は、上述した実施形態に限定されず、特許請求の範囲に記載された範囲で種々の変更が可能である。
【００３３】
以上の説明では、据付部材１２は、リニューアル前のエレベータの乗りかご３によって揚重されるものとして説明したが、揚重機１３によって揚重するようにしてもよい。
【００３４】
以上の説明では、被案内部材は、ガイドシュー１４であるものとして説明するが、ガイドローラ等であってもよい。
【００３５】
以上で説明した実施形態、変形例に係る巻上機据付方法によれば、油圧駆動式のエレベータを巻上機駆動式のエレベータ１に効率的にリニューアルすることができる。
【００３６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３７】
１    エレベータ
２    昇降路
３    乗りかご
４    カウンタウェイト
５    メインロープ
６    巻上機
７、８    ガイドレール（案内部材）
９    上梁
１０    シーブ
１１    揚重用構造体
１２    据付部材
１３    揚重機
１４    ガイドシュー（被案内部材）
１５    載置台
１６    立枠
【図１】
2013245033.tif 000003
【図２】
2013245033.tif 000004
【図３】
2013245033.tif 000005
【図４】
2013245033.tif 000006
【図５】
2013245033.tif 000007
【図６】
2013245033.tif 000008